(57)【特許請求の範囲】
【請求項１】
反射プリズムを備えたプリズム装置と、視準望遠鏡を水平回転させる水平駆動部と前記視準望遠鏡を鉛直回転させる鉛直駆動部と前記両駆動部を制御する制御手段とを備えた測量機とからなる測量システムにおいて、
前記プリズム装置に、位置を検出するプリズム側ＧＰＳ受信機と、気圧を検出する気圧センサと、前記測量機と通信するプリズム側送受信部とを備え、
前記測量機に、位置を検出する測量機側ＧＰＳ受信機と、前記プリズム装置と通信する測量機側送受信部とを備え、
前記測量機の制御手段は、前記プリズム装置の位置及び前記測量機の位置とから前記測量機から見た前記プリズム装置の方位角及び前記測量機と前記プリズム装置の間の距離を算出する方位角及び距離算出手段と、前記距離と前記プリズム装置の位置での気圧及び前記測量機の位置での気圧とから前記測量機から見た前記プリズム装置の高度角を算出する高度角算出手段と、前記方位角及び前記高度角に基づいて前記視準望遠鏡が前記プリズム装置に向くように前記水平駆動部及び前記鉛直駆動部に回転指令を出す回転指令手段とを有することを特徴とする測量システム。
【請求項２】
前記プリズム装置に気温を検出する気温センサを備え、
前記高度角算出手段は、前記気温センサで検出した気温を加味して前記高度角を算出することを特徴とする請求項１に記載の測量システム。
【請求項３】
反射プリズムを備えたプリズム装置と、視準望遠鏡を水平回転させる水平駆動部と前記視準望遠鏡を鉛直回転させる鉛直駆動部と前記両駆動部を制御する制御手段とを備えた測量機とからなる測量システムにおいて、
前記プリズム装置に、位置を検出するプリズム側ＧＰＳ受信機と、気圧を検出する気圧センサと、前記測量機と通信するプリズム側送受信部とを備え、
前記測量機に前記プリズム装置と通信する測量機側送受信部を備え、
前記測量機の制御手段は、前記プリズム側ＧＰＳ受信機を用いて前記測量機の位置を検出するとともに前記気圧センサとを用いて前記測量機の位置での気圧を検出して記憶する測量機側位置気圧記憶手段と、前記ＧＰＳ受信機から得たプリズム装置の位置及び前記測量機の位置とから前記測量機から見た前記プリズム装置の方位角及び前記測量機と前記プリズム装置の間の距離を算出する方位角及び距離算出手段と、前記距離と前記測量機の位置での気圧と前記プリズム装置の位置での気圧とから前記測量機から見た前記プリズム装置の高度角を算出する高度角算出手段と、前記方位角及び前記高度角に基づいて前記視準望遠鏡が前記プリズム装置に向くように前記水平駆動部及び前記鉛直駆動部に回転指令を出す回転指令手段とを有することを特徴とする測量システム。
【請求項４】
前記プリズム装置に気温を検出する気温センサを備え、
前記高度角算出手段は、前記気温センサで検出した気温も加味して、前記測量機から見た前記プリズム装置の高度角を算出することを特徴とする請求項３に記載の測量システム。
【請求項５】
前記プリズム側送受信部が前記測量機を操作するリモコン装置の送受信部であり、前記測量機側送受信部が前記リモコン装置との通信を行う送受信部であり、前記水平駆動部及び前記鉛直駆動部が自動視準装置の水平駆動部及び鉛直駆動部であることを特徴とする請求項１から４のいずれかに記載の測量システム。
【請求項６】
前記プリズム側送受信部が前記測量機を操作するリモコン装置の送受信部であり、前記測量機側送受信部が前記リモコン装置との通信を行う送受信部であり、前記水平駆動部及び前記鉛直駆動部が自動追尾装置の水平駆動部及び鉛直駆動部であることを特徴とする請求項１から４のいずれかに記載の測量システム。
【発明の詳細な説明】
【技術分野】
【０００１】
この発明は、反射プリズム（ターゲット）と、測定時に視準望遠鏡を反射プリズムに自動的に向けることができる測量機とからなる測量システムに関する。
【背景技術】
【０００２】
測量現場においては、１つの基準点に対する複数の測点の方位角、高度角及び距離を測定することが一般的である。このような場合、従来は、反射プリズムを複数の測点間で移動させる作業員と、基準点にいて、各測点上に置かれた反射プリズムを、基準点に置かれた測量機の視準望遠鏡を覗いて反射プリズムを視準する作業員との２名が必要であった。
【０００３】
近年、自動視準装置又は自動追尾装置を備えた測量機が実用化されている。自動視準装置とは、視準望遠鏡を回転させて反射プリズムを自動的に視準するものであり、自動追尾装置とは、常に反射プリズムを視準状態に維持するように、視準望遠鏡を自動的に回転させるようにしたものである。自動視準装置又は自動追尾装置を備えるとともに、リモコン操作可能な測量機を用いると、測量機を反射プリズム側からリモコン装置で操作することができるので、基準点側の作業員が不要になる。
【０００４】
しかし、自動視準装置を備えた測量機では、視準望遠鏡が予め反射プリズム方向に向いていないと、測量機が反射プリズムを見付けるまでに時間がかかるという問題があった。自動追尾装置を備えた測量機であれば、反射プリズムを測点に設置して直ぐに測定できるが、反射プリズムを移動させる際には、反射プリズムを常に測量機に向けながら、反射プリズムが視準望遠鏡の視野から外れないようにゆっくりと移動する必要があった。もし、反射プリズムを測量機と異なる方向に向けてしまったり、反射プリズムを速く動かしてしまったり、測量機と反射プリズムの間に障害物が位置してしまったりして、反射プリズムが視準望遠鏡の視野から外れた場合には、それ以後、自動追尾ができなくなるという問題点があった。
【０００５】
このような問題を解決するため、トータルステーション（測距測角儀）と反射プリズムそれぞれにＧＰＳ受信機を備えて、ＧＰＳ衛星からの電波を受信して、トータルステーションと反射プリズムそれぞれの位置を求めて、トータルステーションから見た反射プリズムの方位角及び高度角を算出し、この方位角及び高度角を用いて測定時には直ちに視準望遠鏡を反射プリズムに向けることができるようにしたトータルステーションが提案されている（後記特許文献１参照）。
【先行技術文献】
【特許文献】
【０００６】
【特許文献１】特開平８−１７８６５２号公報
【発明の概要】
【発明が解決しようとする課題】
【０００７】
ところで、ＧＰＳ衛星を利用した位置測定では、水平方向に対して高度方向の誤差が大きいという欠点がある。したがって、前記特許文献１に開示されたトータルステーションと反射プリズムからなる測量システムを用いても、反射プリズムの高度角の誤差が大きく、測定時に迅速かつ自動的に視準望遠鏡を反射プリズムに向けることができない場合が多々あるという問題がある。
【０００８】
本発明は、前記問題を解決するため、測定時に迅速かつ自動的に視準望遠鏡を反射プリズムに向けることができるようにした測量システムを提供することを課題とする。
【課題を解決するための手段】
【０００９】
請求項１に係る発明は、反射プリズムを備えたプリズム装置と、視準望遠鏡を水平回転させる水平駆動部と前記視準望遠鏡を鉛直回転させる鉛直駆動部と前記両駆動部を制御する制御手段とを備えた測量機とからなる測量システムにおいて、前記プリズム装置に、位置を検出するプリズム側ＧＰＳ受信機と、気圧を検出する気圧センサと、前記測量機と通信するプリズム側送受信部とを備え、前記測量機に、位置を検出する測量機側ＧＰＳ受信機と、前記プリズム装置と通信する測量機側送受信部とを備え、前記測量機の制御手段は、前記プリズム装置の位置及び前記測量機の位置とから前記測量機から見た前記プリズム装置の方位角及び前記測量機と前記プリズム装置の間の距離を算出する方位角及び距離算出手段と、前記距離と前記プリズム装置の位置での気圧及び前記測量機の位置での気圧とから前記測量機から見た前記プリズム装置の高度角を算出する高度角算出手段と、前記方位角及び前記高度角に基づいて前記視準望遠鏡が前記プリズム装置に向くように前記水平駆動部及び前記鉛直駆動部に回転指令を出す回転指令手段とを有することを特徴とする。
【００１０】
請求項２に係る発明は、請求項１に記載の発明において、前記プリズム装置に気温を検出する気温センサを備え、前記高度角算出手段は、前記気温センサで検出した気温を加味して前記高度角を算出することを特徴とする。
【００１１】
請求項３に係る発明は、反射プリズムを備えたプリズム装置と、視準望遠鏡を水平回転させる水平駆動部と前記視準望遠鏡を鉛直回転させる鉛直駆動部と前記両駆動部を制御する制御手段とを備えた測量機とからなる測量システムにおいて、前記プリズム装置に、位置を検出するプリズム側ＧＰＳ受信機と、気圧を検出する気圧センサと、前記測量機と通信するプリズム側送受信部とを備え、前記測量機に前記プリズム装置と通信する測量機側送受信部を備え、前記測量機の制御手段は、前記プリズム側ＧＰＳ受信機を用いて前記測量機の位置を検出するとともに前記気圧センサとを用いて前記測量機の位置での気圧を検出して記憶する測量機側位置気圧記憶手段と、前記ＧＰＳ受信機から得たプリズム装置の位置及び前記測量機の位置とから前記測量機から見た前記プリズム装置の方位角及び前記測量機と前記プリズム装置の間の距離を算出する方位角及び距離算出手段と、前記距離と前記測量機の位置での気圧と前記プリズム装置の位置での気圧とから前記測量機から見た前記プリズム装置の高度角を算出する高度角算出手段と、前記方位角及び前記高度角に基づいて前記視準望遠鏡が前記プリズム装置に向くように前記水平駆動部及び前記鉛直駆動部に回転指令を出す回転指令手段とを有することを特徴とする。
【００１２】
請求項４に係る発明は、請求項３に記載の発明において、前記プリズム装置に気温を検出する気温センサを備え、前記高度角算出手段は、前記気温センサで検出した気温も加味して、前記測量機から見た前記プリズム装置の高度角を算出することを特徴とする。
【００１３】
請求項５に係る発明は、請求項１から４のいずれかに記載の発明において、前記プリズム側送受信部が前記測量機を操作するリモコン装置の送受信部であり、前記測量機側送受信部が前記リモコン装置との通信を行う送受信部であり、前記水平駆動部及び前記鉛直駆動部が自動視準装置の水平駆動部及び鉛直駆動部であることを特徴とする。
【００１４】
請求項６に係る発明は、請求項１から４のいずれかに記載の発明において、前記プリズム側送受信部が前記測量機を操作するリモコン装置の送受信部であり、前記測量機側送受信部が前記リモコン装置との通信を行う送受信部であり、前記水平駆動部及び前記鉛直駆動部が自動追尾装置の水平駆動部及び鉛直駆動部であることを特徴とする。
【発明の効果】
【００１５】
請求項１に係る発明によれば、前記プリズム装置に、位置を検出するプリズム側ＧＰＳ受信機と、気圧を検出する気圧センサと、前記測量機と通信するプリズム側送受信部とを備え、前記測量機に、位置を検出する測量機側ＧＰＳ受信機と、前記プリズム装置と通信する測量機側送受信部とを備えたから、前記測量機の制御手段は、予めプリズム装置を基準点に設置した測量機と同じ高さで隣接させ、前記気圧センサを用いて前記測量機の位置での気圧を測定してこれを記憶できる。それから、プリズム装置を測点まで持っていって、そこに設置すると、前記プリズム側ＧＰＳ受信機から得た前記プリズム装置の位置と前記測量機側ＧＰＳ受信機から得た前記測量機の位置とを用いて、前記測量機から見た前記プリズム装置の方位角及び両者間の距離を算出でき、さらに、両者間の距離と前記測量機の位置での気圧と前記気圧センサから得たプリズム装置の位置での気圧とから前記測量機から見た前記プリズム装置の高度角を算出できる。この際、前記プリズム装置の高度角算出に、誤差の大きなＧＰＳ受信機から得た高度を用いずに、前記プリズム装置の位置での気圧と前記測量機の位置での気圧とから両者の高度差を算出して、この高度差と両者間の距離とから高度角を算出しているから、高度角の精度が高い。こうして算出した方位角及び高度角に応じて、制御手段から水平駆動部及び鉛直駆動部に指令信号を出すことにより、視準望遠鏡を迅速かつ自動的に反射プリズムに向けることができる。自動視準装置又は自動追尾装置を備えるとともにリモコン装置でリモコン操作できる測量機に本発明を適用すると、プリズム装置側の作業員一人で測定作業ができ、しかも従来よりも迅速確実に視準望遠鏡を反射プリズムに向けることができるようになって、迅速な測定ができる。
【００１６】
請求項２に係る発明によれば、さらに、プリズム装置に気温センサを備えたから、高度角算出手段は、気温も加味することにより、測量機とプリズム装置の間の高度差をいっそう正確に算出できる。これにより、測量機から見たプリズム装置の高度角をいっそう正確に算出できるので、測定時にはいっそう迅速確実に視準望遠鏡を反射プリズムに向けることができる。
【００１７】
請求項３に係る発明によれば、前記プリズム装置に、位置を検出するプリズム側ＧＰＳ受信機と、気圧を検出する気圧センサと、前記測量機と通信するプリズム側送受信部とを備え、前記測量機に前記プリズム装置と通信する測量機側送受信部を備えたから、前記測量機の制御手段は、予めプリズム装置を基準点に設置した測量機と同じ高さで隣接させ、前記ＧＰＳ受信機を用いて前記測量機の位置を測定するとともに前記気圧センサとを用いて前記測量機位置での気圧を測定し、それぞれ測量機位置及び測量機側気圧として記憶できる。それから、プリズム装置を測点まで持っていって、そこに設置し、前記ＧＰＳ受信機から得たプリズム装置の位置及び予め記憶している前記測量機の位置とから前記測量機から見た前記プリズム装置の方位角及び両者間の距離を算出し、さらに、両者間の距離と前記測量機の位置での気圧と前記気圧センサから得たプリズム装置の位置での気圧とから前記測量機から見た前記プリズム装置の高度角を算出する。この際、前記プリズム装置の高度角算出に、誤差の大きなＧＰＳ受信機から得た高度を用いずに、前記プリズム装置の位置での気圧と前記測量機の位置での気圧とから両者の高度差を算出して、この高度差と両者間の距離とから高度角を算出しているから、高度角の精度が高い。こうして算出した方位角及び高度角に基づいて、請求項１に係る発明と同様に視準望遠鏡をプリズム装置に向けることができるので、本発明も請求項１に係る発明と同じ効果を奏する。しかも、測量機については、制御手段のプログラムを修正するのみで、ハードの変更が無いので安価に製造できて経済的である。
【００１８】
請求項４に係る発明によれば、さらに、プリズム装置に気温センサを備え、測量機の制御手段は、気温も加味することにより、測量機とプリズム装置の間の高度差をいっそう正確に算出できる。これにより、測量機から見たプリズム装置の高度角をいっそう正確に算出できるので、測定時にはいっそう迅速確実に視準望遠鏡を反射プリズムに向けることができる。
【００１９】
請求項５に係る発明によれば、前記プリズム装置の送受信部が前記測量機を操作するリモコン装置の送受信部であり、前記測量機の送受信部がリモコン装置との通信を行う送受信部であり、前記水平駆動部及び前記鉛直駆動部が自動視準装置の水平駆動部及び鉛直駆動部であるから、従来から用いられているリモコン装置及び自動視準装置と共用の部品を利用して経済的である。
【００２０】
請求項６に係る発明によれば、プリズム装置の送受信部が前記測量機を操作するリモコン装置の送受信部であり、前記測量機の送受信部がリモコン装置との通信を行う送受信部であり、前記水平駆動部及び前記鉛直駆動部が自動追尾装置の水平駆動部及び鉛直駆動部であるから、従来から用いられているリモコン装置及び自動追尾装置と共用の部品を利用して経済的である。
【図面の簡単な説明】
【００２１】
【図１】本発明の第１実施例の測量システムに関するブロック図である。
【図２】本発明の第１実施例の測量システムが備える自動視準プログラムを説明するフローチャートである。
【図３】本発明の第２実施例の測量システムが備える自動追尾プログラムを説明するフローチャートである。
【図４】本発明の第３実施例の測量システムに関するブロック図である。
【図５】前記第３実施例の測量システムが備える自動視準プログラムを説明するフローチャートである。
【図６】本発明の第４実施例の測量システムが備える自動追尾プログラムを説明するフローチャートである。
【発明を実施するための形態】
【００２２】
まず、本発明の第１実施例を図１及び図２により説明する。本実施例の測量システムは、図１に示したようにトータルステーションとプリズム装置からなる。
【００２３】
トータルステーションは、従来のリモコン操作可能で自動視準装置を備えたトータルステーションと同じく、反射プリズムの方位角及び高度角を測定する測角部１０（水平エンコーダ、鉛直エンコーダ）と、反射プリズムまでの距離を測定する測距部１２と、視準光を反射プリズムに向けて送光するとともに、反射プリズムで反射して戻ってきた視準光を受光して、反射プリズムの視準軸からのずれを検出する自動視準光学系（発光素子、対物レンズ、受光素子等）１４と、視準望遠鏡を水平方向に回転させる水平駆動部１６（水平サーボモータ）と、視準望遠鏡を鉛直方向に回転させる鉛直駆動部１８（鉛直サーボモータ）と、指令やデータを入力するための入力部２０と、測定値や指令やデータを表示する表示部２２と、リモコン装置と通信するための送受信部２４と、これらに接続されたマイコン（制御手段）２６とを備える。そして、自動視準光学系１４、水平駆動部１６、鉛直駆動部１８及びマイコン２６で自動視準装置が構成されている。
【００２４】
このトータルステーション（以下、単に測量機と記載する）は、さらに、ＧＰＳ衛星からの電波を受信して測量機の位置を測定するＧＰＳ受信機２８を備え、これもマイコン２６に接続されている。
【００２５】
プリズム装置は、反射プリズム（図示省略）の他に、リモコン装置を備えている。リモコン装置は、従来のものと同じく、指令やデータを入力するための入力部５０と、入力した指令やデータを表示する表示部５２と、測量機と通信するための送受信部５４と、これらに接続されたマイコン５６とを備える。
【００２６】
このプリズム装置は、さらに、ＧＰＳ衛星からの電波を受信してプリズム装置の位置を測定するＧＰＳ受信機５８と、反射プリズムの位置での気圧を測定するための気圧センサ６０と、プリズム装置の位置での気温を測定する気温センサ６２とを備え、これらもマイコン５６に接続されている。
【００２７】
測量機及びプリズム装置の各ＧＰＳ受信機２８、５８は、それぞれ４つ以上のＧＰＳ衛星からの電波を同時に受信すると、測量機及びプリズム装置の３次元の位置を求めることができる。すなわち、プリズム装置で得られたプリズム装置の位置を各送受信部５４、２４を介して測量機のマイコン２６に送ると、マイコン２６によって、測量機に対するプリズム装置の３次元の相対位置を算出することができる。これで、測量機から見たプリズム装置の方位角及び高度角を算出できる。ただし、ＧＰＳ受信機２８、５８で得られた位置は、水平方向に対して高度方向の誤差が大きいという欠点がある。
【００２８】
ところで、測量機の位置での気圧Ｐ０（ｈＰ）及び気温ｔ０（℃）と、反射プリズムの位置での気圧Ｐ１（ｈＰ）及び気温ｔ１（℃）とが分かると、ラプラスの測高公式によりにより、次式で両者の高度差Δｈ（ｍ）が得られる。
Δｈ＝１８４００（１＋０．００３６６ｔ）ｌｏｇ１０（Ｐ０／Ｐ１）  （１）
ただし、ｔ＝（ｔ０＋ｔ１）／２                                    （２）
【００２９】
そこで、ＧＰＳ受信機２８、５８の受信データからは、測量機から見た反射プリズムの方位角と両者の間の距離のみを求める。すると、測量機から見た反射プリズムの高度角が、両者の間の距離と前記（１）式から求めた両者の高度差Δｈから算出することができる。こうして、方位角と高度角が得られると、マイコン２６から水平駆動部１６及び鉛直駆動部１８に指令を送って直ちに視準望遠鏡をプリズム装置に向けることができる。
【００３０】
なお、さらに正確な高度差Δｈを得るには湿度も考慮しなければならないが、反射プリズムが視準望遠鏡の視野内に入る程度に、視準望遠鏡を反射プリズムに向けるだけでよいので、高度差Δｈの算出には湿度の影響は無視した。
【００３１】
図２に、第１実施例の測量機及びプリズム装置の各マイコン２６、５６が行う自動視準プログラムのフローチャートを示す。
【００３２】
まず、作業員が測量機とプリズム装置とを用意して、プリズム装置の測定開始ボタンを押して、自動視準プログラムをスタートさせる。すると、ステップＳ１に進んで、プリズム装置から測量機へ測定開始指令が送られる。そして、プリズム装置では、ステップＳ２に進んで、測量機からのプリズム装置の位置、気圧及び気温のデータ送信要求を待つ。
【００３３】
測量機は、プリズム装置から測定開始指令を受信すると、まず、ステップＳ１０に進んで、ＧＰＳ受信機２８、５８のキャリブレーションをしたか否か調べる。
【００３４】
キャリブレーションをしていなければ、ステップＳ１１に進んで、表示部２２、５２にキャリブレーションをされたい旨の表示し、作業員へキャリブレーションを指示する。次にステップＳ１２に進んで、作業員は、キャリブレーションの準備、すなわち、測量機を基準点上に設置し、測量機と反射プリズムを同じ高さで隣接させる。
【００３５】
キャリブレーションの準備が済むと、ステップＳ１３に進んで、測量機からプリズム装置へ、プリズム装置の位置、そこでの気圧及び気温のデータ要求を送信する。そして、ステップＳ１４に進んで、ＧＰＳ受信機２８から測量機の位置を取得し、測角部１０から方位角と高度角を取得する。
【００３６】
測量機がステップＳ１４を実行している間に、プリズム装置は、データ要求を受信し、ステップＳ３に進んで、ＧＰＳ受信機５８からプリズム装置の位置を取得し、気圧センサ６０から気圧Ｐ１を取得し、気温センサ６２から気温ｔ１を取得する。そして、ステップＳ４に進んで、プリズム装置の位置、気圧Ｐ１及び気温ｔ１のデータを測量機へ送信する。それから、ステップＳ２に戻って、再び測量機から位置、気圧Ｐ１および気温ｔ１のデータ要求を待つ。
【００３７】
測量機は、プリズム装置から位置、気圧Ｐ１および気温ｔ１のデータを受信すると、ステップＳ１５に進んで、キャリブレーションを行う。すなわち、測量機とプリズム装置の位置の差を検出して、この差を補正値として記憶する。また、このとき送られてきた気圧Ｐ１、気温ｔ１を、測量機の位置での気圧Ｐ０、気温ｔ０として記憶する。方位角及び高度角は、現在の視準望遠鏡の向きとして記憶する。それから、キャリブレーション完了を表示部に表示して、この自動視準プログラムをストップする。
【００３８】
作業員は、キャリブレーション完了を確認した後、プリズム装置を測点まで持って行って、そこに設置するとともに、反射プリズムを測量機に向ける。そして、再びプリズム装置の測定開始ボタンを押す。すると、プリズム装置においてはステップＳ２まで進み、測量機においてはステップＳ１０まで進むことは前述したとおりである。
【００３９】
測量機は、ステップＳ１０において、既にキャリブレーションを済ましていれば、ステップＳ２０に進み、プリズム装置の位置、そこでの気圧Ｐ１及び気温ｔ１のデータ要求をプリズム装置へ送信し、次に、ステップＳ２１に進んで、ＧＰＳ受信機２８によって測量機の位置を取得し、測角部１０から方位角と高度角を取得する。
【００４０】
この間にプリズム装置は、前述したようにステップＳ３〜Ｓ４を実行して、プリズム装置の位置、気圧Ｐ１及び気温ｔ１のデータを取得して測量機へ送信する。すると、測量機では、ステップ２２に進んで、測量機に対するプリズム装置の相対位置を求めて、これから測量機から見たプリズム装置の方位角及び両者間の距離を算出する。それから、両者の位置での各気圧Ｐ０（ステップＳ１５で決定）、Ｐ１（ステップＳ２２で決定）及び各気温ｔ０（ステップＳ１５で決定）、ｔ１（ステップＳ２２で決定）から両者の高度差Δｈを求め（前記（１）式及び（２）式参照）、さらに両者の間の距離と高度差Δｈから、測量機から見たプリズム装置の高度角を算出する。
【００４１】
この際、測量機に対するプリズム装置の相対位置には、ステップＳ１５で行ったキャリブレーションで得た補正値を加味する。この補正値を加味することにより、方位角と高度角の誤差を大幅に減らすことができる。
【００４２】
なお、前記実施例では、ＧＰＳ受信機２８、５８は、単独測位法で測量機及びプリズム装置それぞれの位置を求め、それから両者の相対位置を求めたが、キネマティック型干渉測位法を用いて両者の相対位置を直接求めることも可能である。干渉測位法によれば極めて高精度な相対位置が得られるので、気圧による補正は不要である。
【００４３】
次に、ステップＳ２３に進んで、ステップＳ２２で算出した方位角と高度角の方向に視準望遠鏡を回転させる。すなわち、ステップＳ２２で算出した方位角及び高度角と、現在の視準望遠鏡の向いている方位角及び高度角それぞれの差に応じた指令信号を水平駆動部１６及び鉛直駆動部１８に送って、視準望遠鏡をプリズム装置の方向へ回転させる。
【００４４】
次に、ステップＳ２４に進んで反射プリズムを自動視準し、さらに、ステップＳ２５に進んで、距離、方位角、高度角を測定して記録するととともに、表示部に測定結果を表示して、ストップする。
【００４５】
作業員は、測定結果が得られたことを確認して、プリズム装置を次の測点まで持って行って、そこに設置する。そして、再びプリズム装置の測定開始ボタンを押す。以下、同様にして、作業員は一人で複数の測点について測定を行うことができる。
【００４６】
本実施例においては、ステップＳ１０〜Ｓ２２の測量機から見たプリズム装置の方位角及び両者間の距離を算出するまでが、請求項１に記載の方位角及び距離算出手段に相当し、ステップＳ２２のこの後の部分が請求項１に記載の高度角算出手段に相当し、ステップＳ２３が請求項１に記載の回転指令手段に相当する。
【００４７】
本実施例によれば、プリズム装置にＧＰＳ受信機５８と気圧センサ６０と気温センサ６２とを備え、測量機にもＧＰＳ受信機２８を備えたから、測量機のマイコン２６は、測量機に対するプリズム装置の相対位置を求めて、測量機から見たプリズム装置の方位角と、測量機とプリズム装置の間の距離を算出できる。この際、測量機から見たプリズム装置の高度角も算出できるが、ＧＰＳ衛星の高度方向の誤差が大きいので、ＧＰＳ衛星から得た相対位置を用いて高度角の算出はしない。そこで、測量機とプリズム装置の間の距離とプリズム装置の位置での気圧Ｐ１及び気温ｔ１と測量機の位置での気圧Ｐ０及び気温ｔ０とから、測量機から見たプリズム装置の高度角を算出する。こうして算出した方位角及び高度角に応じて、制御手段から水平駆動部及び鉛直駆動部に指令信号を出すことにより、視準望遠鏡を迅速かつ自動的に反射プリズムに向けることができる。しかも、測量機が自動視準装置を備えるとともにリモコン装置で操作できるので、プリズム装置側の作業員一人で測定作業ができ、しかも従来よりも迅速確実に視準望遠鏡を反射プリズムに向けることができるようになって、迅速な測定ができる。
【００４８】
次に、本発明の第２実施例について説明する。本実施例の測量システムは、測量機が自動視準装置と自動視準プログラムの代わりに自動追尾装置と自動追尾プログラムを備える。これ以外は、前記第１実施例と同じである。自動追尾装置の構成は、自動視準装置と略同じでかつ周知であるので、説明を省略する。
【００４９】
それでは、図３に基づいて、本願の測量システムが備える自動追尾プログラムについて説明する。
【００５０】
プリズム装置におけるステップＳ１〜Ｓ４は、前記第１実施例と同じである。測量機におけるステップＳ１０〜Ｓ１５までのキャリブレーションを済ますまでも、前記第１実施例と同じである。ただし、キャリブレーションが済むと、ステップＳ１０に戻り、さらにステップＳ１６に進んで直ちに自動追尾に移る。一方、作業員は、キャリブレーションが済むと、反射プリズムを測量機に向けながら、プリズム装置を持って測点まで歩いて行く。測量機においては、ステップＳ１６に続いて、ステップＳ１７に進んで、追尾状態をチェックする。追尾状態にロックされていれば、ステップＳ１６に戻って、以下、ステップＳ１６、Ｓ１７を繰り返して、自動追尾を維持する。
【００５１】
ステップＳ１７において、なんらかの原因で追尾状態が失われていることを検出したときは、ステップＳ２０に進む。ステップＳ２０〜Ｓ２３までは、前記第１実施例と同じである。こうして、視準望遠鏡がプリズム装置の方向に回転すると、ステップＳ２６に進んで、反射プリズムを捕捉でき、自動追尾が可能になり、続いてステップＳ１６に戻る。以下、ステップＳ１６、Ｓ１７を繰り返して、自動追尾を維持する。
【００５２】
測量機が自動追尾を維持していれば、プリズム装置が測点上に設置されしだい反射プリズムが自動視準されるので、自動視準されしだい、距離、方位角、高度角を測定して記録するととともに、表示部２２に測定結果を表示する。作業員は、測定結果が得られたことを確認して、プリズム装置を次の測点まで持って行って、そこに設置すれば、同様に次の測定ができる。
【００５３】
こうして、本実施例も、前記第１実施例と同様に作業員は一人で複数の測点について測定を行うことができ、前記第１実施例と同じ効果を奏する。
【００５４】
次に、本発明の第３実施例を図４及び図５に基づいて説明する。図４に示したように、プリズム装置は第１実施例と同じであるが、測量機はＧＰＳ受信機を備えない。この測量システムでは、測量機から見た反射プリズムの方位角及び高度角の精度は、反射プリズムが視準望遠鏡の視野内に入る程度でよい。そこで、測定開始前に基準点上に設置した測量機にプリズム装置を隣接させて、プリズム装置のＧＰＳ受信機５８を用いて基準点位置を測定する。この基準点の位置が既知であれば、測定値と既知の座標とを比較して、補正値を求める。そして、その後のＧＰＳ受信機５８によるプリズム装置の位置測定では、補正値を加味してプリズム装置の位置を算出し、測量機から見たプリズムの相対位置を算出する。これ以後は、前記各実施例と同じである。ただし、基準点の位置が未知で補正値が得られない場合でも、若干精度が劣るものの、測量機から見たプリズムの相対位置を算出することは可能である。
【００５５】
次に、この測量システムが備える自動視準プログラムを図５に基づいて説明する。この自動視準プログラムでは、前記第１実施例のステップＳ１０〜Ｓ１５がステップＳ１０’〜Ｓ１５’へと、ステップＳ２２がステップＳ２２’へと後述するように少し変更されている。これ以外は、前記第１実施例と同じである。
【００５６】
ステップＳ１０’では、基準点の位置、気圧Ｐ０及び気温ｔ０の測定を済ませたか否か調べる。これらを済ましていない場合は、ステップＳ１１’に進んで、表示部２２、５２に基準点の位置、気圧Ｐ０及び気温ｔ０の測定をされたい旨の表示し、作業員へ基準点の位置、気圧及び気温の測定を指示する。次にステップＳ１２’に進んで、作業員は、基準点の位置、気圧及び気温の測定の準備、すなわち、測量機を基準点上に設置するとともに、プリズム装置を同じ高さで隣接させる。本来は、プリズム装置を基準点上に設置すべきであるが、基準点上に設置した測量機にプリズム装置を隣接させても、問題ない程度の精度で基準点位置の測定ができ、その後に基準点上に測量機を設置する手間を不要にするという利点がある。
【００５７】
基準点の位置、そこでの気圧Ｐ０及び気温ｔ０の測定の準備が済むと、ステップＳ１３に進んで、プリズム装置へ位置、気圧Ｐ１、気温ｔ１のデータ要求を送信する。プリズム装置から位置、気圧Ｐ１及び気温ｔ１を取得すると、ステップＳ１５’に進んで、それらを基準点位置、そこでの気圧Ｐ０及び点気温ｔ０として記憶し、以後、これらを測量機の位置、測量機の位置での気圧Ｐ０及び気温ｔ０として採用する。それから、基準点位置、基準点気圧Ｐ０及び基準点気温ｔ０の測定完了を表示部２２、５２に表示して、この自動視準プログラムをストップする。
【００５８】
作業員は、基準点位置、基準点気圧Ｐ０及び基準点気温ｔ０の測定完了を確認した後、プリズム装置を測点まで持って行って、そこに設置するとともに、反射プリズムを測量機に向ける。そして、再びプリズム装置の測定開始ボタンを押す。
【００５９】
すると、直ちにステップＳ１及びＳ１０’を経てステップＳ２０に進み、プリズム装置へ位置、気圧Ｐ１、気温ｔ１のデータ送信要求を送信する。そして、プリズム装置から、位置、気圧Ｐ１及び気温ｔ１のデータを取得すると、測量機では、ステップ２２’に進んで、前述したように、プリズム装置の位置、気圧Ｐ１、気温ｔ１、及び基準点（測量機）の位置、そこでの気圧Ｐ０及び気温ｔ０を用いて、測量機から見たプリズム装置の方位角及び高度角を算出する。次のステップＳ２３以降は、前記第１実施例と同じである。
【００６０】
本実施例においては、ステップＳ１０’〜Ｓ１５’までが請求項３に記載の測量機側位置気圧記憶手段に相当し、ステップＳ２０〜Ｓ２２’の測量機から見たプリズム装置の方位角及び両者間の距離を算出するまでが、請求項３に記載の方位角及び距離算出手段に相当し、ステップＳ２２’のこの後の部分が請求項３に記載の高度角算出手段に相当し、ステップＳ２３が請求項３に記載の回転指令手段に相当する。
【００６１】
本実施例も、前記第１実施例と同じ効果を奏するうえ、測量機においては、自動視準プログラムを修正するのみで、ハードの変更が無いので安価に製造できて経済的である。
【００６２】
次に、本発明の第４実施例について説明する。本実施例の測量システムは、測量機が自動視準装置と自動視準プログラムの代わりに自動追尾装置と自動追尾プログラムを備える。これ以外は、前記第３実施例と同じである。自動追尾装置の構成は、自動視準装置と略同じでかつ周知であるので、説明を省略する。
【００６３】
それでは、図６に基づいて、この測量システムが備える自動追尾プログラムについて説明する。
【００６４】
プリズム装置におけるステップＳ１〜Ｓ４は、前記第３実施例と同じである。測量機におけるステップＳ１０’〜Ｓ１５’までの基準点の位置、気圧及び気温を決定するまでも前記第３実施例と同じである。ただし、これが済むと、ステップＳ１０’に戻り、続いてステップＳ１６に進んで自動追尾に入る。次に、ステップＳ１７に進んで追尾状態をチェックし、追尾状態にロックされていればステップＳ１６に戻って自動追尾を続行する。ステップＳ１７において、なんらかの原因で追尾状態が失われていることを検出したときは、ステップＳ２０に進む。ステップＳ２０〜Ｓ２３までは、前記第３実施例と同じである。こうして、視準望遠鏡がプリズム装置の方向に回転すると、ステップＳ２６に進んで、反射プリズムを捕捉でき、自動追尾が可能になる。それからステップＳ１６に戻り、以下、ステップＳ１６、Ｓ１７を繰り返して、自動追尾を維持する。
【００６５】
測量機が自動追尾を維持していれば、プリズム装置が測点上に設置されしだい反射プリズムが自動視準されるので、直ちに距離、方位角、高度角を測定して記録するととともに、表示部２２に測定結果を表示する。作業員は、測定結果が得られたことを確認して、プリズム装置を次の測点まで持って行って、そこに設置すれば、同様に次の測定ができる。
【００６６】
本実施例も、前記第３実施例と同様に作業員は一人で複数の測点について測定を行うことができ、前記第３実施例と同じ効果を奏する。
【００６７】
ところで、本発明は、前記各実施例に限るものではなく、種々の変形が可能である。たとえば、前記各実施例では、測量機としてトータルステーションを挙げたが、自動視準装置又は自動追尾装置を備えた測量機であれば、どのような測量機であっても本発明を適用できるものである。
【００６８】
また、本発明では、反射プリズムが視準望遠鏡の視野内に入る程度に、視準望遠鏡を反射プリズムに向けるだけでよいので、測量機から見た反射プリズムの方位角及び高度角の精度に特に高精度を要求されないので、前記各実施例においては、測量機とプリズム装置それぞれの気温センサ３２、６２を省略して、両者の高度差Δｈを算出する（１）式において気温ｔを常温として、両者の高度差Δｈを算出してもよい。
【００６９】
さらに、前記各実施例では、プリズム装置の送受信部５４が測量機を操作するリモコン装置の送受信部と兼用であり、測量機の送受信部２４がリモコン装置との通信を行う送受信部と兼用であり、水平駆動部１６及び鉛直駆動部１８が自動視準装置又は自動追尾装置の水平駆動部及び鉛直駆動部と兼用にしたが、従来の測量機及びリモコン装置をなるべく変更しないように、それらを兼用にしないでもよい。
【符号の説明】
【００７０】
１６    水平駆動部
１８    鉛直駆動部
２４、５４    送受信部
２６、５６    マイコン（制御手段）
２８、５８    ＧＰＳ受信機
３０、６０    気圧センサ
３２、６２    気温センサ
【図１】
0005372897.tif 000002
【図２】
0005372897.tif 000003
【図３】
0005372897.tif 000004
【図４】
0005372897.tif 000005
【図５】
0005372897.tif 000006
【図６】
0005372897.tif 000007